(57)【特許請求の範囲】
【請求項１】
リング状の溝が形成されている挿入片と、前記挿入片が抜き取り可能に挿入される被挿入部材と、からなる装身具用連結具であって、
前記被挿入部材は、
上方が開口している箱状の第一箱状部材と、
下方が開口し、前記第一箱状部材の内側又は外側に嵌合可能な第二箱状部材と、
前記第一箱状部材と前記第二箱状部材とを回動可能に連結するピン部材と、
前記第一箱状部材と前記第二箱状部材とが相互に閉じる方向に前記第一箱状部材及び前記第二箱状部材を付勢する付勢部材と、
案内片と、
からなり、
前記挿入片を前記被挿入部材の内部に挿入した状態において前記第一箱状部材を前記第二箱状部材に対して閉じると、前記第一箱状部材または第二箱状部材が前記溝に係合し、前記付勢部材の付勢力に抗して前記第一箱状部材を前記第二箱状部材に対して回動させると前記挿入片を前記被挿入部材から抜き取ることが可能になり、
前記案内片は、                                                
前記第一箱状部材が前記溝に係合する場合には前記第二箱状部材の内面に当接し、前記第二箱状部材が前記溝に係合する場合には前記第一箱状部材の内面に当接するベース部と、
前記ベース部から直立し、相互に対向する一対の側壁部であって、前記ピン部材が通過可能な貫通孔または切欠きが形成されている一対の側壁部と、
前記ベース部から直立し、前記挿入片が通過可能な貫通孔が形成されている正面壁部と、
からなるものである装身具用連結具。
【請求項２】
前記一対の側壁部に切欠きが形成されている場合において、前記ベース部の前記側壁部が直立する側とは反対側の面には少なくとも一つの凸状部が形成されており、
前記ベース部の前記反対側の面と前記第一箱状部材または前記第二箱状部材の内面との間には緩衝部材が挟み込まれていることを特徴とする請求項１に記載の装身具用連結具。
【請求項３】
前記正面壁部の先端から内側に延びる延長部が形成されている形成されていることを特徴とする請求項１または２に記載の装身具用連結具。
【請求項４】
前記ベース部には、前記正面壁部の内側において、前記ベース部から直立し、相互に対向する一対の第二側壁部が形成されており、前記第二側壁部は、前記正面壁部の前記貫通孔を介して挿入された前記挿入片を両側から支持するものであることを特徴とする請求項１乃至３の何れか一項に記載の装身具用連結具。
【発明の詳細な説明】
【技術分野】
【０００１】
本発明は、ライン状の装身具（例えば、ネックレス）の両端を相互に取り外し自在に連結する装身具用連結具に関する。
【背景技術】
【０００２】
装身具用連結具の一例として特開２０００−３１６６１６号公報に記載されたものがある。
【０００３】
図１３は同公報に記載された装身具用連結具４０の斜視図、図１４は装身具用連結具４０の分解斜視図、図１５は装身具用連結具４０の縦断面図である。
【０００４】
図１３に示すように、装身具用連結具４０は、棒状のオス金具４２と、中空の箱型からなるメス金具５０とから構成されている。
【０００５】
オス金具４２はメス金具５０の内部に挿入することが可能であり、さらに、メス金具５０から取り出すことが可能である。すなわち、オス金具４２とメス金具５０とは連結及び連結の解除が可能である。
【０００６】
ネックレスやチェーンなどのライン状の装身具の一端にオス金具４２が取り付けられ、他端にはメス金具５０が取り付けられる。オス金具４２とメス金具５０とを連結することにより、ライン状の装身具がリング状となり、例えば、首に掛けることが可能になる。首から取り外すときには、オス金具４２とメス金具５０との連結を解除することにより、リング状の装身具がライン状に戻り、容易に取り外すことができる。
【０００７】
オス金具４２は先端に先細状の頭部４５を有しており、後端付近にはリング状の溝４７が形成されている。さらに、オス金具４２の後端には接続用リング４９が取り付けられており、この接続用リング４９にライン状の装身具の一端が連結される。
【０００８】
図１３及び図１４に示すように、メス金具５０は、下方が開口している箱型の蓋体５１と、上方が開口し、蓋体５１の内側に嵌入可能な大きさを有する底体６０と、から構成されている。
【０００９】
蓋体５１の壁部（オス金具４２が挿入される側の壁部）には、オス金具４２が通過可能な挿入口５７が形成されている。
【００１０】
また、図１４に示すように、蓋体５１の内側底面上には筒状の２個の案内部５４が形成されている。案内部５４は挿入口５７と同様の内径を有しており、挿入口５７を介してメス金具５０に挿入されたオス金具４２は２個の案内部５４により支持される。
【００１１】
蓋体５１の相互に対向する一対の側壁５３には貫通孔５５が形成されており、この貫通孔５５に支軸５８が挿入される。
【００１２】
蓋体５１の挿入口５７とは反対側の端部には接続用リング５９が取り付けられており、この接続用リング５９にライン状の装身具の他端が連結される。
【００１３】
図１４に示すように、底体６０の壁部の上端には半円形状の切欠きからなる係止凹部６１が形成されている。係止凹部６１はオス金具４２の溝４７に係合可能な大きさを有している。
【００１４】
底体６０の外側底面には複数の凹凸からなる滑り止め６２が形成されている。また、底体６０の相互に対向する一対の側壁６３には貫通孔６５が形成されている。
【００１５】
支軸５８は、蓋体５１の貫通孔５５、底体６０の貫通孔６５、コイルばね６７の孔の順に通されることにより、蓋体５１と底体６０とを支軸５８の回りに回動可能に連結するとともに、コイルばね６７を蓋体５１及び底体６０の内部に固定する。
【００１６】
すなわち、この状態においては、蓋体５１と底体６０とは支軸５８を中心として相互に回動可能もしくは開閉可能であり、さらに、コイルばね６７の両端がそれぞれ蓋体５１と底体６０とを内面側から押圧するため、蓋体５１と底体６０はコイルばね６７の付勢力により相互に閉じる方向（図１５に示す状態）に付勢される。
【００１７】
装身具用連結具４０は以下のようにして使用される。
【００１８】
挿入口５７を介してオス金具４２をメス金具５０の内部に挿入すると、オス金具４２は係止凹部６１を介して底体６０を下方に押し下げながら、メス金具５０の内部に向かって進行する。
【００１９】
オス金具４２をさらに挿入すると、オス金具４２は案内部５４にガイドされつつ、進行する。オス金具４２の溝４７が係止凹部６１に到達した時点において、コイルばね６７の付勢力により、底体６０が押し上げられ、係止凹部６１が溝部４７に嵌合し、オス金具４２とメス金具５０とは相互に連結された状態となる。
【００２０】
オス金具４２をメス金具５０から取り外すときには、底体６０の滑り止め６２を押圧する。これにより、底体６０が支軸５８を中心として蓋体５１に対して回動し、係止凹部６１が下降し、オス金具４２の溝４７との係合が解除される。この後、オス金具４２をメス金具５０から引き抜くことが可能になる。
【００２１】
図１６は他の実施形態に係る装身具用連結具４１の斜視図である。
【００２２】
図１３乃至図１５に示した装身具用連結具４０においては、蓋体５１の内面側に案内部５４が形成されているのに対して、本実施形態に係る装身具用連結具４１においては、蓋体５１には案内部５４は形成されておらず、その代わりに、蓋体５１とは別体の部品である案内片７０を用いる。
【００２３】
案内片７０は、相互に対向する一対の立壁７１を有しており、立壁７１の各々には貫通孔７２が形成されている。支軸５８が貫通孔７２に通されることにより、案内片７０はコイルばね６７とともに底体６０の内部に装填される。
【００２４】
オス金具４２の装着及び取り外しの仕方は装身具用連結具４０の場合と同様である。
【先行技術文献】
【特許文献】
【００２５】
【特許文献１】特開２０００−３１６６１６号公報
【発明の開示】
【発明が解決しようとする課題】
【００２６】
図１６に示した装身具用連結具４１においては、図１３乃至図１５に示した装身具用連結具４０とは異なり、案内片７０を蓋体５１とは別体に形成しているため、以下のような利点を有していた。
【００２７】
第一に、コストを低減することが可能である点である。
【００２８】
装身具用連結具４０においては、案内部５４が形成される蓋体５１は鋳造で製作される。これに対して、案内片７０が蓋体５１とは別体として構成されている装身具用連結具４１においては、案内片７０及び蓋体５１はプレス加工による製作が可能となる。プレス加工は、鋳造と比較して、製作費用は低く、かつ、歩留りは大きい。
【００２９】
さらに、蓋体５１は外側に露出するものである（すなわち、使用者の目に留まるものである）ため、貴金属（例えば、銀）で製作することが必要になる。装身具用連結具４０においては、案内部５４は蓋体５１の一部であるため、案内部５４も貴金属でつくられることになる。しかるに、案内部５４は使用者からは見えない箇所にあるため、案内部５４までも貴金属でつくる必要はないが、蓋体５１の構造上、案内部５４も貴金属で作らざるを得ない。
【００３０】
これに対して、案内片７０が蓋体５１とは別体のものとして作られる装身具用連結具４１においては、案内片７０のみを、例えば、鉄鋼で作ることが可能であり、その分、材料のコストを低減させることが可能である。
【００３１】
以上のように、製造方法及び材料費の観点から、装身具用連結具４１は装身具用連結具４０と比較してコストを低減させることが可能である。
【００３２】
第二に、重量を低減することが可能である。
【００３３】
上記のように、案内片７０を蓋体５１とは別体として構成することにより、案内片７０を比重の小さい金属あるいは樹脂でつくることが可能であり、これにより、装身具用連結具４１の重量を装身具用連結具４０よりも軽くすることができる。
【００３４】
第三に、材料を多様化することが可能である。
【００３５】
案内片７０を蓋体５１とは別体として構成することにより、案内片７０の素材として、種々の材料を選択することが可能になる。
【００３６】
しかしながら、図１６に示した装身具用連結具４１は以下のような致命的な欠陥を有していた。
【００３７】
図１３乃至図１５に示した装身具用連結具４０においては、オス金具４２をメス金具５０から引き抜く場合、オス金具４２は蓋体５１に形成されている案内部５４に水平状態のまま支持されているため、滑り止め６２を押して底体６０を蓋体５１に対して回動させれば、オス金具４２は容易に引き抜ける状態にあった。
【００３８】
これに対して、図１６に示した装身具用連結具４１においては、メス金具５０の内部に挿入されたオス金具４２は案内片７０上に単に乗っているだけであるため、滑り止め６２を押して底体６０を蓋体５１に対して回動させると、案内片７０も支軸５８を中心として底体６０とともに同一方向に回動してしまう。この結果、オス金具４２も底体６０とともに傾斜した状態となり、オス金具４２を引き抜くことが極めて困難になるか、場合によっては、オス金具４２を引き抜くことが不可能になる事態になっていた。
【００３９】
本発明はこのような従来の装身具用連結具における問題点に鑑みてなされたものであり、案内片７０を蓋体５１とは別体のものとして構成した場合において、オス金具４２をメス金具５０から確実に引き抜くことを可能にする装身具用連結具を提供することを目的とする。
【課題を解決するための手段】
【００４０】
この目的を達成するため、本発明は、リング状の溝が形成されている挿入片と、前記挿入片が抜き取り可能に挿入される被挿入部材と、からなる装身具用連結具であって、前記被挿入部材は、上方が開口している箱状の第一箱状部材と、下方が開口し、前記第一箱状部材の内側または外側に嵌合可能な第二箱状部材と、前記第一箱状部材と前記第二箱状部材とを回動可能に連結するピン部材と、前記第一箱状部材と前記第二箱状部材とが相互に閉じる方向に前記第一箱状部材及び前記第二箱状部材を付勢する付勢部材と、案内片と、からなり、前記挿入片を前記被挿入部材の内部に挿入した状態において前記第一箱状部材を前記第二箱状部材に対して閉じると、前記第一箱状部材または前記第二箱状部材が前記溝に係合し、前記付勢部材の付勢力に抗して前記第一箱状部材を前記第二箱状部材に対して回動させると前記挿入片を前記被挿入部材から抜き取ることが可能になり、前記案内片は、前記第一箱状部材が前記溝に係合する場合には前記第二箱状部材の内面に当接し、前記第二箱状部材が前記溝に係合する場合には前記第一箱状部材の内面に当接するベース部と、前記ベース部から直立し、相互に対向する一対の側壁部であって、前記ピン部材が通過可能な貫通孔または切欠きが形成されている一対の側壁部と、前記ベース部から直立し、前記挿入片が通過可能な貫通孔が形成されている正面壁部と、からなるものである装身具用連結具を提供する。
【００４１】
前記一対の側壁部に切欠きが形成されている場合においては、前記ベース部の前記側壁部が直立する側とは反対側の面には少なくとも一つの凸状部が形成されており、前記ベース部の前記反対側の面と前記第一箱状部材または前記第二箱状部材の内面との間には緩衝部材が挟み込まれていることが好ましい。
【００４２】
前記正面壁部の先端から内側に延びる延長部が形成されていることが好ましい。
【００４３】
前記ベース部には、前記正面壁部の内側において、前記ベース部から直立し、相互に対向する一対の第二側壁部が形成されており、前記第二側壁部は、前記正面壁部の前記貫通孔を介して挿入された前記挿入片を両側から支持するものであることが好ましい。
【発明の効果】
【００４４】
本発明に係る装身具用連結具においては、案内片の正面壁部には挿入片（オス金具４２に対応するもの）を支持する貫通孔が形成されている。このため、被挿入部材（メス金具５０に対応するもの）の内部に挿入された挿入片はこの貫通孔を通過することにより、案内片に支持されることになり、第一箱状部材（底体６０に対応するもの）を第二箱状部材（蓋体５１に対応するもの）に対して開いた場合であっても、挿入片は案内片に支持され、ほぼ水平な状態を維持している。このため、図１５に示した従来の装身具用連結具４１とは異なり、支障なく、挿入片を被挿入部材から引き抜くことが可能になる。
【図面の簡単な説明】
【００４５】
【図１】本発明の第一の実施形態に係る装身具用連結具の分解斜視図である。
【図２】本発明の第一の実施形態に係る装身具用連結具において、蓋体と底体とが相互に連結している状態（相互に閉じている状態）における縦断面図である。
【図３】本発明の第一の実施形態に係る装身具用連結具において、蓋体と底体との連結が解除された状態（相互に開いている状態）における縦断面図である。
【図４】本発明の第一の実施形態に係る装身具用連結具における案内片の変形例を示す斜視図である。
【図５】本発明の第一の実施形態に係る装身具用連結具における案内片の配置位置の変形例を示す縦断面図である。
【図６】本発明の第一の実施形態に係る装身具用連結具における案内片の第二の変形例を示す斜視図である。
【図７】本発明の第二の実施形態に係る装身具用連結具の縦断面図である。
【図８】本発明の第三の実施形態に係る装身具用連結具における案内片の斜視図である。
【図９】オス金具の変形例の斜視図である。
【図１０】図９に示したオス金具に対応する案内片の変形例の斜視図である。
【図１１】図９に示したオス金具に対応する案内片の変形例の斜視図である。
【図１２】本発明の第四の実施形態に係る装身具用連結具における案内片の斜視図である。
【図１３】従来の装身具用連結具の斜視図である。
【図１４】従来の装身具用連結具の分解斜視図である。
【図１５】従来の装身具用連結具の縦断面図である。
【図１６】従来の装身具用連結具の分解斜視図である。
【発明を実施するための最良の形態】
【００４６】
（第一の実施形態）
図１は、本発明の第一の実施形態に係る装身具用連結具１００の分解斜視図である。
【００４７】
本実施形態に係る装身具用連結具１００は、図１６に示した従来の装身具用連結具４１と比較して、案内片７０の形状が相違している。
【００４８】
図１に示すように、本実施形態に係る装身具用連結具１００の一構成要素である案内片１１０は、蓋体５１の内壁に当接するベース部１１１と、ベース部１１１から直立し、相互に対向する一対の側壁部１１２と、ベース部から直立している正面壁部１１３と、から構成されている。
【００４９】
一対の側壁部１１２の各々はオス金具４２が挿入される方向と平行に延びている。一対の側壁部１１２の各々の先端（図１においては下端）には支軸５８が通過可能なＵ字型の切欠き１１４が形成されている。
【００５０】
正面壁部１１３はオス金具４２が挿入される方向と直交する方向に延びている。正面壁部１１３には、オス金具４２が通過可能な貫通孔１１５が形成されている。
【００５１】
図２は蓋体５１と底体６０とが相互に連結している状態（相互に閉じている状態）における縦断面図であり、図３は蓋体５１と底体６０との連結が解除された状態（相互に開いている状態）における縦断面図である。
【００５２】
本実施形態に係る装身具用連結具１００においては、メス金具５０の内部に挿入されたオス金具４２は、図２に示すように、案内片１１０の正面壁部１１３に形成されている貫通孔１１５に挿通された状態にある。すなわち、貫通孔１１５に挿通されることにより、案内片１１０に支持された状態にある。
【００５３】
このため、支軸５８を中心として底体６０を蓋体５１に対して開いた場合であっても、図３に示すように、オス金具４２は案内片１１０によりほぼ水平状態のまま支持された状態にある。すなわち、本実施形態に係る装身具用連結具１００においては、図１６に示した従来の装身具用連結具４１とは異なり、オス金具４２は案内片７０とともに回動し、傾斜することはなく、案内片１１０により支持され、ほぼ水平状態を維持している。
【００５４】
このため、底体６０を蓋体５１に対して開いた状態（図３に示す状態）において、オス金具４２を容易にメス金具５０から引き抜くことが可能になる。
【００５５】
以上のように、本実施形態に係る装身具用連結具１００によれば、案内片１１０にはオス金具４２を支持する貫通孔１１５が形成されているため、メス金具５０の内部に挿入されたオス金具４２は貫通孔１１５を通過することにより、案内片１１０に支持されることになり、底体６０を蓋体５１に対して開いた場合であっても、オス金具４２は案内片１１０に支持された状態を維持している。このため、オス金具４２をメス金具５０から引き抜くことに支障はなくなる。
【００５６】
なお、本実施形態に係る装身具用連結具１００は上記の構成に限定されるものではなく、種々の改変が可能である。
【００５７】
図４は案内片１１０の変形例を示す斜視図である。
【００５８】
本変形例に係る案内片１１０においては、一対の側壁部１１２の各々には切欠き１１４に代えて貫通孔１１６が形成されている。貫通孔１１６は支軸５８が通過可能な大きさを有している。このように、一対の側壁部１１２にはＵ字型の切欠き１１４に代えて貫通孔１１６を形成することも可能である。
【００５９】
図５は案内片１１０の配置位置の変形例を示す縦断面図である。
【００６０】
本実施形態に係る装身具用連結具１００においては、ベース部１１１が蓋体５１の内壁に接するように案内片１１０を配置したが、図５に示すように、ベース部１１１が底体６０の内壁に接するように案内片１１０を配置することも可能である。案内片１１０を底体６０に接するように配置しても、本実施形態と同様の効果を得ることができる。
【００６１】
図６は案内片１１０の第二の変形例を示す斜視図である。
【００６２】
本実施形態に係る装身具用連結具１００においては、案内片１１０の一対の側壁部１１２と正面壁部１１３とは相互に離れた状態のものとして形成されているが、図６に示すように、一対の側壁部１１２と正面壁部１１３とを一体に形成することも可能である。
【００６３】
また、支軸５８としては、円筒形状のピンを用いてもよく、あるいは、バネ棒と呼ばれる部材を用いることも可能である。バネ棒とは、両端が開口している円筒形状の本体の内部に二つの棒状部材がバネとともに嵌め込まれており、これら二つの棒状部材が本体の両端の開口から突出している。棒状部材を本体の内部に押し込むと、バネの力により、棒状部材は本体の外部に再び突出する。
【００６４】
（第二の実施形態）
図７は本発明の第二の実施形態に係る装身具用連結具２００の縦断面図である。
【００６５】
第一の実施形態に係る装身具用連結具１００においては、一対の側壁部１１２の各々にＵ字型の切欠き１１４が形成されているが、支軸５８が切欠き１１４に沿って上下動し、その結果として、オス金具４２の支持が不安定となるおそれがある。
【００６６】
このため、本実施形態に係る装身具用連結具２００においては、ベース部１１１と蓋体５１の内壁との間に緩衝部材２０１を挟み込んでいる。
【００６７】
緩衝部材２０１は、例えば、ゴム、シリコンその他の樹脂層からなる。
【００６８】
このように、案内片１１０のベース部１１１と蓋体５１の内壁との間に緩衝部材２０１を挟み込むことにより、案内片１１０は内側方向（図７の下方向）に押されるため、切欠き１１４により支軸５８を押さえつけることが可能になる。
【００６９】
また、ベース部１１１と蓋体５１との間に緩衝部材２０１を挟み込む場合、ベース部１１１の表面（蓋体５１の内壁と対向する面）には凸状部２０２を形成することが好ましい。凸状部２０２を形成することにより、緩衝部材２０１の内部に凸状部２０２が食い込み、緩衝部材２０１をベース部１１１と蓋体５１との間に固定することが可能になる。
【００７０】
（第三の実施形態）
図８は本発明の第三の実施形態に係る装身具用連結具における案内片３１０の斜視図である。
【００７１】
本実施形態における案内片３１０は、第一の実施形態に係る案内片１１０と比較して、正面壁部１１３の先端（図８の下端）から内側（一対の側壁部１１２に向かう方向）に延びる延長部３１１が形成されている。
【００７２】
正面壁部１１３に形成された貫通孔１１５を通過したオス金具４２は貫通孔１１５に支持されるとともに、延長部３１１の上に乗った状態となり、延長部３１１によっても支持され、上下方向における安定性が向上する。このため、オス金具４２をより安定的に支持することが可能である。
【００７３】
（第四の実施形態）
図１２は本発明の第四の実施形態に係る装身具用連結具における案内片３２０の斜視図である。
【００７４】
本実施形態における案内片３２０は、図４に示した第一の実施形態における案内片と比較して、図１２に示すように、一対の第二側壁部３２１が形成されている。
【００７５】
一対の第二側壁部３２１は、正面壁部１１３の内側において、ベース部１１１から直立し、側壁部１１２と平行になるように形成されている。一対の第二側壁部３２１の間の間隔は、正面壁部１１３の貫通孔１１５を介して挿入されたオス金具４２を両側から支持することができる程度の間隔に設定されている。
【００７６】
本実施形態における案内片３２０によれば、挿入片としてのオス金具４２は貫通孔１１５により支持されることに加えて、左右からも支持されることになり、オス金具４２の左右方向における安定性を向上させることができる。
【００７７】
なお、第一乃至第四の実施形態に係る装身具用連結具においては、オス金具４２は丸棒状のものとして形成されているが、図９に示すように、先細の平板状（正確には、縦断面が台形をなしている形状）とすることも可能である。
【００７８】
この場合には、図１０及び図１１に示すように、正面壁部１１３に形成される貫通孔１１５はオス金具４２の形状に合わせて長方形状に形成される。
【符号の説明】
【００７９】
１００  本発明の第一の実施形態に係る装身具用連結具
１１０  案内片
１１１  ベース部
１１２  側壁部
１１３  正面壁部
１１４  切欠き
１１５  貫通孔
２００  本発明の第二の実施形態に係る装身具用連結具
２０１  緩衝部材
２０２  凸状部
３１０  本発明の第三の実施形態に係る装身具用連結具における案内片
３１１  延長部
３２０  本発明の第四の実施形態に係る装身具用連結具における案内片
３２１  第二側壁部
【図１】
0005781425.tif 000002
【図２】
0005781425.tif 000003
【図３】
0005781425.tif 000004
【図４】
0005781425.tif 000005
【図５】
0005781425.tif 000006
【図６】
0005781425.tif 000007
【図７】
0005781425.tif 000008
【図８】
0005781425.tif 000009
【図９】
0005781425.tif 000010
【図１０】
0005781425.tif 000011
【図１１】
0005781425.tif 000012
【図１２】
0005781425.tif 000013
【図１３】
0005781425.tif 000014
【図１４】
0005781425.tif 000015
【図１５】
0005781425.tif 000016
【図１６】
0005781425.tif 000017